(57)【要約】  【課題】  軽い手動操作力で容易に開けることができ、電源の無い場所でも使用できる、便蓋等開閉体のヒンジを提供する。  【解決手段】  便蓋１のヒンジＨが、便蓋１の回動基端側に固定されたカムケース６と、このカムケース６の開放端部６ａ内に、その開放端部７ａが相対回転可能に嵌合されるように便座２の回動基端側に固定されたばねケース７と、両ケース６，７の同一回動軸心に貫通されて両ケースを連結したヒンジ軸８と、該ヒンジ軸８に挿通されてばねケース７内に軸心方向に移動可能に且つ回り止め状に収容されたスライダー９と、ばねケース７内に収容されスライダー９をカムケース側に押圧付勢するばね部材１０と、を備える。カムケース６の内底面に断面台形のカム部が一体に形成されている。スライダー９の先端に、カムケース６の回転に伴いカム部１３に対し摺接する断面台形状のカムフォロア２０が一体に形成されている。【選択図】      図３
0003113963.tif 000002
【実用新案登録請求の範囲】
【請求項１】
便座からなる開閉体が便器の上面に対し垂直もしくは垂直に近い姿勢に開く開き状態と、便器の上面に水平もしくは水平に近い姿勢に閉じる閉じ状態とにわたって回動するようにした開閉体のヒンジにおいて、
前記便座の回動基端側に固定された有底筒状のカムケースと、このカムケースの開放端部内に、その開放端部が相対回転可能に嵌合されるように前記便器側に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備えており、
前記カムケースの内底面の前記ヒンジ軸周りに、径方向で対向する少なくとも一対の、全体が断面台形の山形状で平らな山頂面とこの山頂面の両端から内底面に向かって下る傾斜面とを有するカム部が一体に形成されており、
前記スライダーの先端における前記ヒンジ軸の周りに、前記カムケースの回転に伴い前記カム部に対し摺接する断面台形状のカムフォロアが一体に形成されており、
前記便座の開き状態では、前記カム部が、前記スライダーに作用する前記ばね部材のばね圧と、前記カムフォロアと接触する前記カム部の傾斜面の傾斜角度とによって、前記便座の自重による閉じ方向への回転トルクよりも大きい開き方向の回転トルクが発生するようにしてあることを特徴とする、開閉体のヒンジ。
【請求項２】
便蓋からなる開閉体が便座の上面に対し垂直もしくは垂直に近い姿勢に開く開き状態と、便座の上面に水平もしくは水平に近い姿勢に閉じる閉じ状態とにわたって回動するようにした開閉体のヒンジにおいて、
前記便蓋の回動基端側に固定された有底筒状のカムケースと、このカムケースの開放端部内に、その開放端部が相対回転可能に嵌合されるように前記便座の回動基端側に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備えており、
前記カムケースの内底面の前記ヒンジ軸周りに、径方向で対向する少なくとも一対の、全体が断面台形の山形状で平らな山頂面とこの山頂面の両端から内底面に向かって下る傾斜面とを有するカム部が一体に形成されており、
前記スライダーの先端における前記ヒンジ軸の周りに、前記カムケースの回転に伴い前記カム部に対し摺接する断面台形状のカムフォロアが一体に形成されており、
前記便蓋の開き状態では、前記カム部が、前記スライダーに作用する前記ばね部材のばね圧と、前記カムフォロアと接触する前記カム部の傾斜面の傾斜角度とによって、前記便蓋の自重による閉じ方向への回転トルクよりも大きい開き方向の回転トルクが発生するようにしてあることを特徴とする、開閉体のヒンジ。
【請求項３】
前記カム部の傾斜面は、前記便座または便蓋が開き途上において開角３０°付近を越えると自動的に開く作用を働く角度に設定している、請求項１又は２に記載の開閉体のヒンジ。
【考案の詳細な説明】
【技術分野】
【０００１】
本考案は、便蓋または便座からなる開閉体の開閉回動機構に好適に用いられるヒンジに関する。
【背景技術】
【０００２】
従来の便座や便蓋のヒンジは、一般に、便器の上面に上向きに突設した一対の支持脚の上端どうし間に、便座もしくは便蓋の回動基端側に設けた継手部を嵌め込んで重ね合わせ、両者に継手ピン（軸）を通して締結して、手動で便座や便蓋を前記ピン回りに開閉回動させるようにしてある。
また、便座や便蓋のヒンジ軸にオイル又はグリスを主体としたダンパーを組み込んだものもある。さらに、便座や便蓋を電動式で開閉可能にしたものもある。
【考案の開示】
【考案が解決しようとする課題】
【０００３】
しかるに、上記のような手動開閉式のピン継手による便座・便蓋用ヒンジでは、便座や便蓋を開く時にそれを持ち上げる操作が重いという問題があった。
また、オイル又はグリスダンパーを組み込んだ上記便座・便蓋用ヒンジでは、粘性オイル又はグリスで負荷を与えるため、開き方向に余分な操作力が必要である。特に、急いで用便などをするときは不適当である。
電動開閉式の上記便座・便蓋用ヒンジではモータ、電源を必要とするためコスト高となるばかりか、電源の無い便器設置場所では使用できない不利がある。
【０００４】
本考案の目的は、このような問題を解決するためになされたもので、便蓋又は便座を軽い手動操作力で容易に開けることができ、また便蓋又は便座が開き状態で不用意に閉じ方向に倒れるのを防止でき、さらに電源の無い場所でも使用できる、便蓋や便座等開閉体のヒンジを提供することにある。
【課題を解決するための手段】
【０００５】
本考案は、便座からなる開閉体が便器の上面に対し垂直もしくは垂直に近い姿勢に開く開き状態と、便器の上面に水平もしくは水平に近い姿勢に閉じる閉じ状態とにわたって回動するようにした開閉体のヒンジにおいて、前記便座の回動基端側に固定された有底筒状のカムケースと、このカムケースの開放端部内に、その開放端部が相対回転可能に嵌合されるように前記便器側に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備えており、前記カムケースの内底面の前記ヒンジ軸周りに、径方向で対向する少なくとも一対の、全体が断面台形の山形状で平らな山頂面とこの山頂面の両端から内底面に向かって下る傾斜面とを有するカム部が一体に形成されており、前記スライダーの先端における前記ヒンジ軸の周りに、前記カムケースの回転に伴い前記カム部に対し摺接する断面台形状のカムフォロアが一体に形成されており、前記便座の開き状態では、前記カム部が、前記スライダーに作用する前記ばね部材のばね圧と、前記カムフォロアと接触する前記カム部の傾斜面の傾斜角度とによって、前記便座の自重による閉じ方向への回転トルクよりも大きい開き方向の回転トルクが発生するようにしてあることに特徴を有するものである。
【０００６】
また、本考案は、便蓋からなる開閉体が便座の上面に対し垂直もしくは垂直に近い姿勢に開く開き状態と、便座の上面に水平もしくは水平に近い姿勢に閉じる閉じ状態とにわたって回動するようにした開閉体のヒンジにおいて、前記便蓋の回動基端側に固定された有底筒状のカムケースと、このカムケースの開放端部内に、その開放端部が相対回転可能に嵌合されるように前記便座の回動基端側に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備えており、前記カムケースの内底面の前記ヒンジ軸周りに、径方向で対向する少なくとも一対の、全体が断面台形の山形状で平らな山頂面とこの山頂面の両端から内底面に向かって下る傾斜面とを有するカム部が一体に形成されており、前記スライダーの先端における前記ヒンジ軸の周りに、前記カムケースの回転に伴い前記カム部に対し摺接する断面台形状のカムフォロアが一体に形成されており、前記便蓋の開き状態では、前記カム部が、前記スライダーに作用する前記ばね部材のばね圧と、前記カムフォロアと接触する前記カム部の傾斜面の傾斜角度とによって、前記便蓋の自重による閉じ方向への回転トルクよりも大きい開き方向の回転トルクが発生するようにしてあることに特徴を有するものである。
【０００７】
ひとつの好適な実施態様として、本考案による開閉体のヒンジは、前記カム部の傾斜面は、前記便座または便蓋が開き途上において開角３０°付近を越えると自動的に開く作用を働く角度に設定することができる。
【考案の効果】
【０００８】
上記構成の便座又は便蓋等開閉体のヒンジによれば、便座又は便蓋の開き状態では、カム部が、スライダーをカムケース側に押圧付勢するばね部材のばね圧と、スライダーのカムフォロアと接触するカム部の傾斜面の傾斜角度とによって便座又は便蓋の自重による閉じ方向への回転トルクよりも大きい開き方向の回転トルクが発生するようにしてあるので、便蓋や便座を手で持ち上げて開くときに要する操作力を軽減でき、また便座又は便蓋が開き状態で不用意に閉じ方向に倒れるようなことがなくてその開き状態を確保できる。したがって、とくに、介護用便器に適用した場合は被介護者にとって使い勝手の良好なものである。
加えて、便蓋または便蓋を手動操作で開閉できて電源の無い場所でも使用でき、しかも電動開閉式の便座・便蓋用ヒンジに比べ構造簡単で低コストに提供できる。
【考案を実施するための最良の形態】
【０００９】
本考案の好適な実施形態を図面に基づき説明する。図１は本考案の一実施例を示す開閉体のヒンジにより取付けられた便蓋及び便座を全閉状態で示す便器の斜面図、図２は同便器の側面図、図３は同便蓋、便座及びヒンジの分解斜視図、図４はヒンジのみの分解斜視図、図５はヒンジのカムケースの透視図、図６の（ａ）はカムケースのカム部を円周方向に切断して示す展開断面図、（ｂ）はカムフォロアを円周方向に切断して示す展開断面図、図７はヒンジの開き状態図、図８はヒンジの閉じ状態図、図９はヒンジの開閉中間位置の状態図、図１０の（ａ）はヒンジの閉じ状態時におけるカム部とカムフォロアとの接触状態を示す展開断面図、（ｂ）はヒンジの開閉中間位置におけるカム部とカムフォロアとの接触状態を示す展開断面図、（ｃ）はヒンジの開き状態時におけるカム部とカムフォロアとの接触状態を示す展開断面図である。
【００１０】
図１〜図３は本考案の一実施例を示しており、この実施例では、開閉体である便蓋１および便座２が、ヒンジＨを介して、図２（ａ）に仮想線で示すごとく便器３の上面に対し垂直もしくは垂直に近い姿勢に開く開き状態と、図１、図２に実線状態で示すように便器３の上面に水平もしくは水平に近い姿勢に閉じる閉じ状態とにわたって回動し、また便蓋１が、前記ヒンジＨとは別のヒンジＨを介して、水平もしくは水平に近い姿勢の便座２の上面に対し図２（ｂ）に仮想線で示すごとく垂直もしくは垂直に近い姿勢に開く開き状態と、図２（ｂ）に実線で示すように便座２の上面に水平もしくは水平に近い姿勢に閉じる閉じ状態とにわたって回動するようにしたものである。
【００１１】
まず、開閉体である便座２が便蓋１ごと図２（ａ）に仮想線で示すように水平な便器３の上面に対し垂直もしくは垂直に近い姿勢に開く開き状態と、図２（ａ）に実線で示すように便器３の上面に水平もしくは水平に近い姿勢に閉じる閉じ状態とにわたって回動するようにした場合のヒンジＨの実施例について以下に説明する。
【００１２】
図１、図３に示すように、便器３はこれの上面の後部に便座２を取付けるための左右一対の取付突起４，４を上向きに突設している。一方、便座２は便器３の上面を覆い得る大きさの平面視で馬蹄形状に形成され、この便座２の後方の回動基端側には、便器３の取付突起４，４に対応する左右一対のボス５，５（図３では一方のボス５のみを示す）が一体に備えられる。この便座２の一方のボス５と便器３の一方の取付突起４間にヒンジHが組込まれる。便座２のもう一方のボス５と便器３のもう一方の取付突起４間には、通常の継手ピンによるヒンジ（図示せず）が組込まれる。
【００１３】
上記ヒンジHは、図３、図４に示すように、便座２のボス５に固定される有底筒状のカムケース６と、このカムケース６の開放端部６ａ内に、その開放端部７ａが相対回転可能に嵌合されるように便器３の取付突起４に固定される有底筒状のばねケース７と、カムケース６とばねケース７の同一回動軸心に貫通されて両ケース６，７を連結したヒンジ軸８と、該ヒンジ軸８に挿通されてばねケース７内に軸心方向に移動可能に且つ回り止め状に収容されるスライダー９と、ばねケース７内に収容されスライダー９をカムケース６側に押圧付勢する圧縮コイルばね等によるばね部材１０と、を備える。
【００１４】
図３、図４に示すように、カムケース６はこれの外周に複数個のキー状の突起１１を軸心方向に設け、便座２のボス５の内周に突起１１が嵌まる溝１２をつけ、カムケース６をボス５に嵌合することによりカムケース６が便座２の回動基端側に固定される。
このカムケース６の内底面６ｂのヒンジ軸８周りには、図５、図６（ａ）に示すように、径方向で対向する少なくとも一対の、全体が断面台形の山形状で平らな山頂面１３ａとこの山頂面１３ａの両端から内底面６ｂに向かって下る第１，２の傾斜面１３ｂ，１３ｃとを有するカム部１３が一体に形成されている。隣接するカム部１３とカム部１３との間には断面三角形のストッパー突起１４が形成されている。
【００１５】
図３、図４に示すように、ばねケース７はこれの外周に複数個のキー状の突起１５を軸心方向に設け、便器３の一方の取付突起４の先端部に設けた横孔１６の内周に突起１５が嵌まる溝１７をつけ、ばねケース７を横孔１６に挿入嵌合することによりばねケース７が便器３の取付突起４に固定される。そして、便座２は便器３の上に重ねられるとともに、カムケース６の開放端部６ａ内に、ばねケース７の開放端部７ａが相対回転可能に嵌合される。図４に示すように、ばねケース７の開放端部７ａには一対の切欠１８，１８が径方向に対向するよう設けられ、スライダー９の先端部の外周に切欠１８，１８に嵌まる回り止め突起１９，１９が設けられ、スライダー９は回り止め突起１９を切欠１８に嵌め込むことによりばねケース７の開放端部７ａ内に軸心方向に移動可能に且つ回り止め状に収容される。
【００１６】
スライダー９の先端におけるヒンジ軸８の周りには、図４、図６（ｂ）に示すように、カムケース６の回転に伴いカム部１３に対し摺接するカムフォロア２０，２０が一体に形成されている。カムフォロア２０は、平らな山頂面２０ａと、カム部１３の傾斜面１３ｂ，１３ｃに倣う傾斜面２０ｂ，２０ｃを有する断面台形状に形成されている。
カムケース６のカム部１３における一方の第１の傾斜面１３ｃの傾斜角度（平らな内底面６ｂと成す角度）は、便座２の開き状態で、図７、図１０（ｃ）に示すように、カムフォロア２０の傾斜面２０ｃと接触し、スライダー９に作用するばね部材１０のばね圧Ｗを伴って便座２の自重による閉じ方向への回転トルクよりも大きい開き方向Ｘの回転力が発生する角度に設定している。カム部１３のもう一方の第２の傾斜面１３ｂの傾斜角度は、便座２の閉じ状態で、図８、図１０（ａ）に示すように、カムフォロア２０の傾斜面２０ｂと接触し、スライダー９に作用するばね部材１０のばね圧Ｗを伴って閉じ方向Ｙの回転力が発生する角度に設定している。
【００１７】
次に、上記構成のヒンジＨの作動について図７〜図９、図１０（ａ）〜（ｃ）を参照して説明する。
図２（ａ）中、仮想線では、便座２が便蓋１ごと開角９０度を少し越えて後方へ少し傾いた開き状態を示している。この開き状態では、図７、図１０（ｃ）に示すように、ばねケース７は固定状態にあり、カムケース６のカム部１３は、スライダー９に作用するばね部材１０のばね圧Ｗと、ばねケース７内のスライダー９のカムフォロア２０の傾斜面２０ｃと接触しているカム部１３の一方の第１の傾斜面１３ｃの傾斜角度とにより開き方向Ｘの回転力が発生している。その開き方向Ｘの回転力は任意の角度(カム部１３の第１の傾斜面１３ｃとカムフォロア２０の傾斜面２０ｃとが接触している間）で働き、自由に角度設定ができる。開き状態時ではストッパー突起１４とカムフォロア２０の傾斜面２０ｂとが接触することにより最大開角を規制する。この便座２の最大開角の規制手段としては、図４、図７に示すように、ばねケース７の開放端部７ａにストッパー突起２１を設け、カムケース６の開放端部６ａに設けた切欠２２内の一端部２２ａをストッパー突起２１に係合させ、この係合により便座２の最大開角を規制することもできる。
【００１８】
この開き状態から便座２を閉じる方向にヒンジ軸８回りに手動で回動させて行くと、一旦、図９、図１０（ｂ）に示すように、カム部１３の平らな山頂面１３ａとカムフォロア２０との山頂面２０ａが面接触するが、この時はばね部材１０がその面を押さえているだけなので、回転力は発生しない。しかし、更に、便座２を閉じ方向に手動で回動させて行くと、便座２が便器３上に閉じ、この閉じ状態では、図８、図１０（ａ）に示すように、カム部１３は、スライダー９に作用するばね部材１０のばね圧Ｗと、スライダー９のカムフォロア２０の傾斜面２０ｂと接触しているカム部１３のもう一方の第２の傾斜面１３ｂの傾斜角度とにより閉じ方向Ｙの回転力が発生している。その閉じ方向Ｙの回転力は任意の角度(カム部１３のもう一方の傾斜面１３ｂとカムフォロア２０の傾斜面２０ｂとが接触している間）で働き、自由に角度設定ができる。
【００１９】
便座２を閉じ状態から手で持ち上げて開き状態に戻す時には、カム部１３は、第２の傾斜面１３ｂをカムフォロア２０の傾斜面２０ｂから乗り上げて一旦、平らな山頂面１３ａをカムフォロア２０の山頂面２０ａと面接触させてから、第１の傾斜面１３ｃがカムフォロア２０の傾斜面２０ｃと接触し始める。この接触により、カム部１３が、スライダー９に作用するばね部材１０によるばね圧Ｗと、カムフォロア２０の傾斜面２０ｃと接触するカム部１３の第１の傾斜面１３ｃの傾斜角度とにより便座２の自重による閉じ方向への回転トルクよりも大きい開き方向Ｘの回転トルクが発生するようにしてあるため、この回転トルクの作用により、軽い操作力で便座２を全開状態に容易に戻すことができるし、また便座２が不用意に閉じ方向に倒れるようなことがなくてその開き状態を確保できる。その際、カム部１３の第１の傾斜面１３ｃは、便座２が開角３０°付近を越えると自動的に開く作用を働くような傾斜角度に設定している。このように便座２を開くときに、大きな操作力を必要としないようにしてあるため、介護用便器に適用しても被介護者などの負担を軽減できる。
【００２０】
次に、開閉体である便蓋１が、便器３上に閉じた水平もしくは水平に近い状態の便座２の上面に対して図２（ｂ）に仮想線で示すごとく垂直もしくは垂直に近い姿勢に開く開き状態と、図２（ｂ）に実線で示すように便座２の上面に水平もしくは水平に近い姿勢に閉じる閉じ状態とにわたって回動するようにした場合のヒンジＨの実施例について以下に説明する。
【００２１】
便蓋１は、図1、図３に示すように、便器３及び便座２の上面全体を覆い得る大きさの平面視において馬蹄形状の盲壁に形成される。便蓋１の後方の回動基端側には、便座２の一方のボス５に対応するボス２６が一体に備えられる。この便蓋１の一方のボス２６と便座２の一方のボス５間にヒンジHが組込まれる。便蓋１のもう一方のボス２６と便座２のもう一方のボス５間には、通常の継手ピンによるヒンジ(図示せず）が組込まれる。
【００２２】
この場合のヒンジHそれ自体は、上記実施例のヒンジＨと同一構造に構成されるものであって、便蓋１のボス２６に固定される有底筒状のカムケース６と、このカムケース６の開放端部６ａ内に、その開放端部７ａが相対回転可能に嵌合されるように便座２のボス５に固定される有底筒状のばねケース７と、カムケース６とばねケース７の同一回動軸心に貫通されて両ケース６，７を連結したヒンジ軸８と、該ヒンジ軸８に挿通されてばねケース７内に軸心方向に移動可能に且つ回り止め状に収容されるスライダー９と、ばねケース７内に収容されスライダー９をカムケース６側に押圧付勢する圧縮コイルばね等によるばね部材１０とを備える。
【００２３】
上記実施例でも説明したとおり、カムケース６はこれの外周に複数個のキー状の突起１１を軸心方向に設け、便蓋１のボス２６の内周に突起１１が嵌まる溝（図示せず）をつけ、カムケース６をボス２６に嵌合することによりカムケース６が便蓋１の回動基端側に固定される。このカムケース６の内底面６ａのヒンジ軸８周りには、図５、図６（ａ）に示すように、径方向で対向する少なくとも一対の、全体が断面台形の山形状で平らな山頂面１３ａとこの山頂面１３ａの両端から内底面６ｂに向かって下る傾斜面１３ｂ，１３ｃとを有するカム部１３が一体に形成されている。隣接するカム部１３とカム部１３との間には断面三角形のストッパー突起１４が形成されている。-
【００２４】
また、上記実施例でも説明したとおり、ばねケース７はこれの外周に複数個のキー状の突起１５を軸心方向に設け、便座２の回動基端側に一体に突設したボス５の内周に突起１５が嵌まる溝１２をつけ、ばねケース７をボス５内の上記実施例のカムケース６の軸方向外方に並ぶよう該ボス５内に嵌合することによりばねケース７が便座２の回動基端側に固定される。そして、便蓋１は便座２の上に重ねられるとともに、カムケース６の開放端部６ａ内に、ばねケース７の開放端部７ａが相対回転可能に嵌合される。ばねケース７の開放端部７ａには一対の切欠１８，１８が径方向に対向するよう設けられ、スライダー９の先端部の外周に切欠１８，１８に嵌まる回り止め突起１９，１９が設けられ、スライダー９は回り止め突起１９を切欠１８に嵌め込むことによりばねケース７の開放端部７ａ内に軸心方向に移動可能に且つ回り止め状に収容される。
【００２５】
スライダー９の先端におけるヒンジ軸８の周りには、これ又、上記実施例で説明した通り、図４、図６（ｂ）に示すように、カムケース６の回転に伴いカム部１３に対し摺接するカムフォロア２０，２０が一体に形成されている。カムフォロア２０は、平らな山頂面２０ａと、カム部１３の傾斜面１３ｂ，１３ｃに倣う傾斜面２０ｂ，２０ｃを有する断面台形状に形成されている。
カムケース６のカム部１３の一方の第１の傾斜面１３ｃの傾斜角度（平らな内底面６ｂと成す角度）は、便蓋１の開き状態で、図７、図１０（ｃ）に示すように、カムフォロア２０の傾斜面２０ｃと接触し、スライダー９に作用するばね部材１０のばね圧Ｗを伴って便蓋１の自重による閉じ方向への回転トルクよりも大きい開き方向Ｘの回転力が発生する角度に設定している。カム部１３のもう一方の第２の傾斜面１３ｂの傾斜角度は、便蓋１の閉じ状態で、図８、図１０（ａ）に示すように、カムフォロア２０の傾斜面２０ｂと接触し、スライダー９に作用するばね部材１０のばね圧Ｗを伴って閉じ方向Ｙの回転力が発生する角度に設定している。
【００２６】
次に、上記便蓋１のボス２６と便座２のボス５間のヒンジＨの作動について図７〜図９、図１０（ａ）〜（ｃ）を参照して説明する。
図２（ａ）は便蓋１が開角９０度を少し越えて後方へ少し傾いた開き状態を示している。この開き状態では、図７、図１０（ｃ）に示すように、ばねケース７は固定状態にあり、カムケース６のカム部１３はばね部材１０のばね圧と、スライダー９のカムフォロア２０の傾斜面２０ｃと接触しているカム部１３の一方の第１の傾斜面１３ｃの傾斜角度とにより開き方向Ｘの回転力が発生している。その開き方向の回転力は任意の角度(カム部１３の第１の傾斜面１３ｃとカムフォロア２０の傾斜面２０ｃとが接触している間）で働き、自由に角度設定ができる。開き状態時ではストッパー突起１４とカムフォロア２０の傾斜面２０ｂとを接触させることにより最大開角を規制する。この便座２の最大開角の規制手段としては、ばねケース７の開放端部７ａにストッパー突起２１を設け、カムケース６の開放端部６ａに設けた切欠２２内の一端部２２ａをストッパー突起２１に係合させ、この係合により便座２の最大開角を規制することもできる。
【００２７】
この開き状態から便蓋１を閉じる方向にヒンジ軸８回りに手動で回動させて行くと、一旦、図９、図１０（ｂ）に示すように、カム部１３の平らな山頂面１３ａとカムフォロア２０の山頂面２０ａとが面接触するが、この時はばね部材１０がその面を押さえているだけなので、回転力は発生しない。しかし、更に、便蓋１を閉じ方向に手動で回動させて行くと、便蓋１が便座２上に閉じ、この閉じ状態では、図８、図１０（ａ）に示すように、カム部１３はスライダー９に作用するばね部材１０のばね圧Ｗと、スライダー９のカムフォロア２０の傾斜面２０ｂと接触しているカム部１３のもう一方の第２の傾斜面１３ｂの傾斜角度とにより閉じ方向Ｙの回転力が発生している。その閉じ方向Ｙの回転力は任意の角度(カム部１３のもう一方の傾斜面１３ｂとカムフォロア２０の傾斜面２０ｂとが接触している間）で働き、自由に角度設定ができる。
【００２８】
便蓋１を閉じ状態から手で持ち上げて開き状態に戻す時には、カム部１３は、第２の傾斜面１３ｂをカムフォロア２０の傾斜面２０ｂから乗り上げて一旦、平らな山頂面１３ａをカムフォロア２０の山頂面２０ａと面接触させてから、第１の傾斜面１３ｃがカムフォロア２０の傾斜面２０ｃと接触し始める。この接触により、カム部１３がスライダー９に作用するばね部材１０によるばね圧Ｗと、カムフォロア２０の傾斜面２０ｃと接触するカム部１３の第１の傾斜面１３ｃの傾斜角度とにより便蓋１の自重による閉じ方向への回転トルクよりも大きい開き方向Ｘの回転トルクが発生するようにしてあるため、この回転トルクの作用により、軽い操作力で便蓋１を全開状態に容易に戻すことができるし、また便蓋１が不用意に閉じ方向に倒れるようなことがなくてその開き状態を確保できる。その際、カム部１３の第１の傾斜面１３ｃは、便蓋１が開角３０°付近を越えると自動的に開く作用を働くような角度に設定している。このように便蓋１を開くときに、大きな操作力を必要としないようにしてあるため、介護用便器に適用しても被介護者などの負担を軽減できる。
【００２９】
上記実施例では、便座２の一方のボス５と便器３の一方の取付突起４間にヒンジHが組込まれ、便座２のもう一方のボス５と便器３のもう一方の取付突起４間には、通常の継手ピンによるヒンジが組込まれるが、便座２の両方のボス５，５と便器３の両方の取付突起４，４間にそれぞれ上記ヒンジHを組込むこともできる。同様に、便蓋１の一方のボス２６と便座２の一方のボス５間にヒンジHを組込み、便蓋１のもう一方のボス２６と便座２のもう一方のボス５間には、通常の継手ピンによるヒンジを組込むという上記実施例に代えて、便蓋１に左右一対のボス２６，２６を設け、この両方のボス２６，２６と便座２の両方のボス５，５間にそれぞれ上記ヒンジHを組込むこともできる。
【図面の簡単な説明】
【００３０】
【図１】本考案の一実施例を示す開閉体のヒンジにより取付けられた便蓋及び便座を全閉状態で示す便器の斜面図である。
【図２】同便器の側面図である。
【図３】同便蓋、便座及びヒンジの分解斜視図である。
【図４】ヒンジのみの分解斜視図である。
【図５】ヒンジのカムケースの透視図である。
【図６】（ａ）はカムケースのカム部を円周方向に切断して示す展開断面図、（ｂ）はカムフォロアを円周方向に切断して示す展開断面図である。
【図７】ヒンジの開き状態図である。
【図８】ヒンジの閉じ状態図である。
【図９】ヒンジの開閉中間位置の状態図である。
【図１０】（ａ）はヒンジの閉じ状態時におけるカム部とカムフォロアとの接触状態を示す展開断面図、（ｂ）はヒンジの開閉中間位置におけるカム部とカムフォロアとの接触状態を示す展開断面図、（ｃ）はヒンジの開き状態時におけるカム部とカムフォロアとの接触状態を示す展開断面図である。
【符号の説明】
【００３１】
Ｈ  ヒンジ
１  便蓋
２  便座
３  便器
４  取付突起
５  便座のボス
６  カムケース
６ａ  開放端部
６ｂ  内底面
７  ばねケース
７ａ  開放端部
８  ヒンジ軸
９  スライダー
１０  ばね部材
１３  カム部
１３ａ  山頂面
１３ｂ，１３ｃ  傾斜面
２０  カムフォロア
【図１】
0003113963.tif 000003
【図２】
0003113963.tif 000004
【図３】
0003113963.tif 000005
【図４】
0003113963.tif 000006
【図５】
0003113963.tif 000007
【図６】
0003113963.tif 000008
【図７】
0003113963.tif 000009
【図８】
0003113963.tif 000010
【図９】
0003113963.tif 000011
【図１０】
0003113963.tif 000012